(57)【特許請求の範囲】
【請求項１】
金属筺体と、前記金属筺体の背面パネルに取り付けられた端子板と、前記金属筺体内に収納されたプリント基板とを備え、前記プリント基板上には少なくとも変調器を構成し、前記端子板には、外部からの音声信号が入力されると共に前記変調器の入力端にリード線によって接続された音声信号入力端子部と、前記音声信号入力端子部に隣接して対をなすと共に前記変調器の接地端にリード線によって接続された接地端子部とを設け、前記接地端子部と前記背面パネルとを金属片によって相互接続し、前記音声信号入力端子部と前記接地端子部とを前記端子板上でコンデンサによって接続したことを特徴とするテレビジョン信号送信器。
【請求項２】
前記音声信号入力端子部は第一の音声信号入力端子部と第二の音声信号入力端子部とを有し、前記変調器の入力端は第一の入力端と第二の入力端を有し、前記各音声信号入力端子部と前記各入力端とをそれぞれリード線によって接続し、前記第一の音声信号入力端子部と前記第二の音声入力端子部とを前記接地端子部の両側に設けたことを特徴とする請求項１記載のテレビジョン信号送信器。
【請求項３】
前記金属片を弾性部材で形成し、前記金属片に把持部と前記把持部から延在して形成された接触片部とを設け、前記把持部で前記端子板を把持するとともに、前記接触片部を前記背面パネルに弾接したことを特徴とする請求項１または２記載のテレビジョン信号送信機。
【発明の詳細な説明】
【０００１】
【発明の属する技術分野】
本発明は、放送局のスタジオ等で録画された映像信号や録音された音声信号等をテレビジョン信号に変換してＣＡＴＶケーブルに送出するテレビジョン送信機に関する。
【０００２】
【従来の技術】
図６、図７に従って従来のテレビジョン信号送信機を説明する。先ず、従来のテレビジョン信号送信機は、図６のブロック構成図に示すように、変調器５１、周波数変換器５２、制御回路５３、音声信号処理回路５４等を有している。変調器５１には、外部機器（図示せず）から送られてくる映像信号および音声信号が入力される。そして、映像信号および音声信号によって搬送波（中間映像搬送波）を変調し、次いで、周波数変換器５２によって映像中間周波信号をＶＨＦ帯あるいはＵＨＦ帯の所定のテレビジョン信号に周波数変換して図示しないＣＡＴＶケーブルに送出するようにしている。
【０００３】
外部機器からの映像信号は、映像信号入力用の同軸コネクタ５５に入力され、同軸ケーブル５６によって変調器５１に入力される。
変調器５１内には搬送波の周波数を安定させるための基準発振器（図示せず）が設けられている。
【０００４】
また、外部機器からの音声信号は音声信号入力端子部５７、５８に入力される。音声信号は、プラス側およびマイナス側の音声信号を有して音声信号入力端子部５７、５８にバランス入力される。そして、第一の音声信号入力端子部５７と変調器５１の第一の入力端５１ａとの間に接続された第一の音声信号入力用リード線５９、および、第二の音声信号入力端子部５８と変調器５１の第二の入力端５１ｂとの間に接続された第二の音声信号入力用リード線６０によって音声信号が変調器５１に入力される。
【０００５】
なお、第一の音声信号入力端子部５７と第二の音声信号入力端子部５８との間には、これら音声信号入力端子部５７、５８と対となる第一の接地端子部６１が設けられれており、一方、変調器５１には、第一の入力端５１ａと第二の入力端５１ｂとの間に第一の接地端５１ｃが設けられている。この第一の接地端５１ｃは、図示はしないが、変調器５１のグランドに接続されている。そして、第一の接地端子部６１と第一の接地端５１ｃとが第一の接地用リード線６２によって接続される。
【０００６】
ところで、テレビジョン信号送信機は、入力された映像信号や音声信号に処理を施して他のテレビジョン信号送信機（図示せず）に出力する機能も有している。そのために、テレビジョン信号送信機は、第一および第二の音声信号出力端子部６３、６４と音声信号処理回路５４を有している。そして、変調器５１の第一のおよび第二の入力端５１ａ、５１ｂに入力された音声信号を、音声信号処理回路５４を介して第一および第二の音声信号出力端子部６３、６４に出力するようにしている。
【０００７】
音声信号処理回路５４は、第一および第二の出力端５４ａ、５４ｂを有している。そして、第一の音声信号出力端子部６３と第一の出力端５４ａとが第一の音声信号出力用リード線６５で接続され、第二の音声信号出力端子部６４と第二の出力端５４ｂとが第二の音声信号出力用リード線６６で接続される。
なお、第一の音声信号出力端子部６３と第二の音声信号出力端子部６４との間には、第二の接地端子部６７が設けられ、第二の接地端子部６７と第一の接地端子部６１とは相互に接続される。
【０００８】
さらに、テレビジョン信号送信機には、外部機器からの複数の制御信号が入力される。制御信号は変調器５１、音声信号処理回路５４等の機能回路の動作を制御するためのものであり、所定の直流電圧で送られてくる。図６では二つの制御信号が送られてくる場合について示している。第一の制御信号は第一の制御信号入力端子部６８に入力され、第二の制御信号は第二の制御信号入力端子部６９に入力される。そして、第一の制御信号入力端子部６８と制御回路５３の第一の制御信号入力端５３ａとを接続する第一の制御信号入力用リード線７０、および、第二の制御信号入力端子部６９と制御回路５３の第二の制御信号入力端５３ｂとを接続する第二の制御信号入力用リード線７１によって制御信号が制御回路５３に入力される。
【０００９】
なお、第一の制御信号入力端子部６８と第二の制御信号入力端子部６９との間に第三の接地端子部７２を設け、また、制御回路５３の第一の制御信号入力端５３ａと第二の制御信号入力端５３ｂとの間には制御回路５３内で接地された第二の接地端５３ｃを設け、第三の接地端子部７２と第二の接地端５３ｃとを第二の接地用リード線７３で接続している。
【００１０】
図７は従来のテレビジョン信号送信機の内部の斜視図である。金属性の筺体８１内にはプリント基板８２が収納され、図示しない保持部材によって底板８１ａに固定されている。プリント基板８２には、図６に示す変調器５１、周波数変換器５２、制御回路５３、音声信号処理回路５４等の機能回路が構成されている。また、背面パネル８１ｂの内側には、プリント基板で形成された端子板８３がビス等の取付手段８４、８４によって取り付けられている。そして、端子板８３上の導体によって図６に示す第一の音声信号入力端子部５７等の各端子部が形成されている。
【００１１】
また、背面パネル８１ｂの外側には、端子板８３に対応して、絶縁性部材からなる端子ブロック（図示せず）が取り付けられ、この端子ブロックには、外部機器に接続される複数の金属端子（図示せず）が植設されている。そして、金属端子が端子板８３を貫通して第一の音声信号入力用端子部５７等の各端子部に半田接続されている。
そして、端子板８３には第一のコネクタ８５が取り付けられており、第一の音声信号入力端子部５７等の各端子部は、端子板８３上に形成された導体パターン（図示せず）によって第一のコネクタ８５に接続されている。
【００１２】
一方、プリント基板８２上には、第二のコネクタ８６が取り付けられている。そして、図７では示されないが、図６に示す変調器５１の第一及び第二の入力端５１ａ、５１ｂ、第一の接地端５１ｃ、音声信号処理回路５４の第一および第二の出力端５４ａ、５４ｂ、制御回路５３の第一および第二の制御信号入力端５３ａ、５３ｂ、第二の接地端５３ｃがプリント基板８２上に設けられており、これらは、第二のコネクタ８６に接続されている。そして、第一のコネクタ８５と第二のコネクタ８６とがフラットケーブル８７で接続される。このフラットケーブル８７が、図６に示す第一および第二の音声信号入力用リード線６９、６０、第一および第二の音声信号出力用リード線６５、６６、第一および第二の制御信号入力用リード線７０、７１、第一および第二の接地用リード線６２、７３となる。
【００１３】
なお、映像信号が入力される同軸コネクタ５５は、背面パネル８１ｂに取り付けられる。また、映像信号を変調器５１に入力する同軸コネクタ８８がプリント基板８２上に取り付けられ、同軸コネクタ５６、８８同士が同軸ケーブル５６で接続されて映像信号が変調器５１に入力される。
【００１４】
【発明が解決しようとする課題】
以上説明した従来のテレビジョン信号送信機では、変調器５１内の基準発振器から出力される基準発振信号や制御回路５３から出力されるクロック信号が、プリント基板８２を介して、あるいは、直接放射されることによって音声信号入力用のリード線５９、６０や音声信号出力用のリード線６５、６６に誘導して第一および第二の音声信号入力端子部５７、５８や第一および第二の音声信号出力端子部６３、６４に現れる。
【００１５】
一方、第一の接地用リード線６２は、変調器５１の第一の接地端５１Ｃのみで接地されているので、第一の接地端子部６１にも基準発振信号やクロック信号が現れる。これらの基準信号やクロック信号は、不要信号となって各端子部から直接輻射されたり、また、接続された外部機器または他のテレビジョン信号送信機に入力され、外部機器等の動作を妨害することになる。
そこで、本発明では、音声信号入力端子部５７、５８、音声信号出力端子部６３、６４等に現れる不要信号を除去して不要輻射を発生させないようにすることを目的とする。
【００１６】
【課題を解決するための手段】
上記の課題を解決するため、本発明のテレビジョン信号送信器は、金属筺体と、前記金属筺体の背面パネルに取り付けられた端子板と、前記金属筺体内に収納されたプリント基板とを備え、前記プリント基板上には少なくとも変調器を構成し、前記端子板には、外部からの音声信号が入力されると共に前記変調器の入力端にリード線によって接続された音声信号入力端子部と、前記音声信号入力端子部に隣接して対をなすと共に前記変調器の接地端にリード線によって接続された接地端子部とを設け、前記接地端子部と前記背面パネルとを金属片によって相互接続し、前記音声信号入力端子部と前記接地端子部とを前記端子板上でコンデンサによって接続した。
【００１７】
また、本発明のテレビジョン信号送信器は、前記音声信号入力端子部は第一の音声信号入力端子部と第二の音声信号入力端子部とを有し、前記変調器の入力端は第一の入力端と第二の入力端を有し、前記各音声信号入力端子部と前記各入力端とをそれぞれリード線によって接続し、前記第一の音声信号入力端子部と前記第二の音声入力端子部とを前記接地端子部の両側に設けた。
【００２０】
また、本発明のテレビジョン信号送信機は、前記金属片を弾性部材で形成し、前記金属片に把持部と前記把持部から延在して形成された接触片部とを設け、前記把持部で前記端子板を把持するとともに、前記接触片部を前記金属筺体に弾接した。
【００２１】
【発明の実施の形態】
図１乃至図５に従って本発明のテレビジョン信号送信機を説明する。ここで、図１は本発明のテレビジョン信号送信機のブロック構成図であり、図２は本発明のテレビジョン信号送信機の内部の斜視図であり、図３は本発明のテレビジョン信号に使用する端子板の詳細図であり、図４は本発明のテレビジョン信号送信機に使用する金属片の斜視図であり、図５は図３の要部断面図である。
【００２２】
先ず、本発明のテレビジョン信号送信機は、図１のブロック構成図に示すように、変調器１、周波数変換器２、制御回路３、音声信号処理回路４等を有している。変調器１には、外部機器（図示せず）から送られてくる映像信号および音声信号が入力される。そして、映像信号および音声信号によって搬送波（中間映像搬送波）を変調し、次いで、周波数変換器２によって映像中間周波信号をＶＨＦ帯あるいはＵＨＦ帯の所定のテレビジョン信号に周波数変換して図示しないＣＡＴＶケーブルに送出するようにしている。
なお、変調器１内には搬送波の周波数を安定させるための基準発振器（図示せず）が設けられている。
【００２３】
外部機器からの映像信号は、映像信号入力用の同軸コネクタ５に入力され、同軸ケーブル６によって変調器１に入力される。
また、外部機器からの音声信号は音声信号入力端子部７、８に入力される。音声信号は、プラス側およびマイナス側の音声信号を有して、第一の音声信号入力端子部７と第二の音声信号入力端子部８とにバランス入力される。そして、第一の音声信号入力端子部７と変調器１の第一の入力端１ａとの間に接続された第一の音声信号入力用リード線９、および、第二の音声信号入力端子部８と変調器１の第二の入力端１ｂとの間に接続された第二の音声信号入力用リード線１０によって、音声信号が変調器１に入力される。
【００２４】
なお、第一の音声信号入力端子部７と第二の音声信号入力端子部８との間には、これら音声信号入力端子部７、８と対となる第一の接地端子部１１が設けられれており、一方、変調器１には、第一の入力端１ａと第二の入力端１ｂとの間に第一の接地端１ｃが設けられている。この第一の接地端１ｃは、図示はしないが、変調器１のグランドに接続されている。また、第一の接地端子部１１は、このテレビジョン信号送信機の金属筺体３１（図２、図３および図５参照）に電気的に接続されるようになっている。そして、第一の接地端子部１１と第一の接地端１ｃとが第一の接地用リード線１２によって接続される。
【００２５】
さらに、第一の音声信号入力端子部７と第一の接地端子部１１とが第一の高周波信号減衰手段である第一のコンデンサ１３によって接続され、第二の音声信号入力端子部８と第一の接地端子部１１とが第二の高周波信号減衰手段である第二のコンデンサ１４によって接続されている。第一および第二のコンデンサ１３、１４は、音声信号に対しては減衰効果を有せず、音声信号よりも高い周波数帯の信号に対して減衰効果を有するように容量値が設定されている。
【００２６】
ところで、テレビジョン信号送信機は、入力された映像信号や音声信号を処理して他の外部機器である他のテレビジョン信号送信機（図示せず）に出力する機能も有している。そのために、テレビジョン信号送信機は、第一および第二の音声信号出力端子部１５、１６と音声信号処理回路４を有している。そして、変調器１の第一のおよび第二の入力端１ａ、１ｂに入力された音声信号を、音声信号処理回路４を介して第一および第二の音声信号出力端子部１５、１６に出力するようにしている。
【００２７】
音声信号処理回路４は、第一および第二の出力端４ａ、４ｂを有している。そして、第一の音声信号出力端子部１５と第一の出力端４ａとが第一の音声信号出力用リード線１７で接続され、第二の音声信号出力端子部１６と第二の出力端４ｂとが第二の音声信号出力用リード線１８で接続される。
【００２８】
なお、第一の音声信号出力端子部１５と第二の音声信号出力端子部１６との間には、これら第一および第二の音声信号出力端子部１５、１６と対となる第二の接地端子部１９が設けられ、第二の接地端子部１９は金属筺体３１に電気的に接続されるとともに第一の接地端子部１１とに接続導体２０によって接続されるようになっている。
そして、第一の音声信号出力端子部１５と第二の接地端子部１９とが第三の高周波信号減衰手段である第三のコンデンサ２１によって接続され、第二の音声信号出力端子部１６と第二の接地端子部１９とが第四の高周波信号減衰手段である第四のコンデンサ２２によって接続されている。第三および第四のコンデンサ２１、２２は、音声信号に対しては減衰効果を有せず、音声信号よりも高い周波数帯の信号に対して減衰効果を有するように容量値が設定されている。
【００２９】
さらに、テレビジョン信号送信機には、外部機器からの複数の制御信号が入力される。制御信号は変調器１、音声信号処理回路４等の機能回路部の動作を制御するためのものであり、所定の直流電圧で送られてくる。図１では二つの制御信号が送られてくる場合について示している。第一の制御信号は第一の制御信号入力端子部２３に入力され、第二の制御信号は第二の制御信号入力端子部２４に入力される。そして、第一の制御信号入力端子部２３と制御回路３の第一の制御信号入力端３ａとを接続する第一の制御信号入力用リード線２５、および、第二の制御信号入力端子部２４と制御回路３の第二の制御信号入力端３ｂとを接続する第二の制御信号入力用リード線２６によって制御信号が制御回路３に入力される。
【００３０】
なお、第一の制御信号入力端子部２３と第二の制御信号入力端子部２４との間には、これら第一および第二の制御信号入力端子部２３、２４と対となる第三の接地端子部２７を設け、また、制御回路３の第一の制御信号入力端３ａと第二の制御信号入力端３ｂとの間には制御回路３内で接地された第二の接地端３ｃを設け、第三の接地端子部２７と第二の接地端３ｃとを第二の接地用リード線２８で接続している。また、第三の接地端子部２７は金属筺体３１に電気的に接続されるようになっている。
【００３１】
そして、第一の制御信号入力端子部２３と第三の接地端子部２７とが第五の高周波信号減衰手段である第五のコンデンサ２９によって接続され、第二の制御信号入力端子部２４と第三の接地端子部２７とが第六の高周波信号減衰手段である第六のコンデンサ３０によって接続されている。第五および第六のコンデンサ２９、３０は、制御信号に対しては減衰効果を有せず、制御信号よりも高い周波数帯の信号に対して減衰効果を有するように容量値が設定されている。
【００３２】
図２は本発明のテレビジョン信号送信機の内部の斜視図であり、金属性の筺体３１内にはプリント基板３２が収納され、図示しない保持部材によって底板３１ａに固定されている。プリント基板３２上には、図１に示す変調器１、周波数変換器２、制御回路３、音声信号処理回路４等の機能回路が構成されている。
また、金属筺体３１の背面パネル３１ｂの内側には、プリント基板で形成された端子板３３が、背面パネル３１ｂとの間に間隔を保持した状態でビス等の取付手段３４、３４によって取り付けられている。そして、図２、図３に示すように、端子板３３上の導体によって図１に示す第一の音声信号入力端子部７等の各端子部が形成されている。
また、端子板３３には、第一の接地端子部１１、第二の接地端子部１９、第三の接地端子部２７を金属筺体３１に電気的に接続するための金属片３５、３５、３５がこれら各接地端子部に対応して取り付けられ、さらに第一乃至第六のコンデンサ１３、１４、２１、２２、２９、３０が取り付けられている。
【００３３】
端子板３３には、第一のコネクタ３６が取り付けられ、第一および第二の音声信号入力端子部７、８、第一および第二の音声信号出力端子部１５、１６、第一及び第二の制御信号入力端子部２３、２４、第一乃至第三の接地端子部１１、１９、２７の各端子部を第一のコネクタ３６に接続するための導体パターン３７（一部図示せず）等が端子板３３上に設けられる。また、第一の接地端子部１１と第二の接地端子部１９とを接続する接続導体２０も端子板３３上の導体パターン３８によって形成されている。
【００３４】
金属筺体３１内のプリント基板３２上には、第二のコネクタ３９が取り付けられている。そして、図２では示されないが、図１に示す変調器１の第一及び第二の入力端１ａ、１ｂ、第一の接地端１ｃ、音声信号処理回路４の第一および第二の出力端４ａ、４ｂ、制御回路３の第一および第二の制御信号入力端３ａ、３ｂ、第二の接地端３ｃがプリント基板３２設けられており、これらは、第二のコネクタ３９に接続されている。そして、第一のコネクタ３６と第二のコネクタ３９とがフラットケーブル４０で接続される。このフラットケーブル４０が、図１に示す第一および第二の音声信号入力用リード線９、１０、第一および第二の音声信号出力用リード線１７、１８、第一および第二の制御信号入力用リード線２５、２６、第一および第二の接地用リード線１２、２８となる。
【００３５】
一方、背面パネル３１ｂの外側には、端子板３３に対応して、端子ブロック４１（図５参照）が適宜の手段によって取り付けられる。端子ブロック４１は、樹脂からなる直方体の端子台４１ａと、端子台４１ａに植設された複数の金属端子４１ｂと、金属端子４１ｂに螺合する金属ネジ４１ｃからなり、金属端子４１ｂの先端が端子板３３を貫通して第一の音声信号入力用端子部７等の各端子部に半田接続されている。
【００３６】
ここで、第一の接地端子部１１、第二の接地端子部１９、第三の接地端子部２７に対応して端子板３３に取り付けられる金属片３５は、バネ性を有するリン青銅等の金属板によって形成される。そして、図４に示すように、二つの折り返し部３５ａ、３５ｂによって波形に折り曲げられ、第一の折り曲げ部３５ａと第二の折り曲げ部との間の中央片部３５ｃに対向して第一の対向片部３５ｄと第二の対向片部３５ｅとが延在して形成されている。第一の対向片部３５ｄは第一の折り曲げ部３５ａおよび中央片部３５ｃとともに、端子板３３を把持する把持部３５ｆとなり、第二の対向片部３５ｅは金属筺体３１の背面パネル３１ｂに接触する接触片部となる。
【００３７】
この金属片３５は、先ず、第一の対向片部３５ｄが第一の接地端子部１１等の各接地端子部に接触する状態で端子版３３を把持して取り付けられる。そして、金属片３５を取り付けた端子板３３を金属筺体３１の背面パネル３１ｂに取り付ける。すると、図５に示すように、金属片３５の第二の対向片部３５が背面パネル３１ｂに弾接する。これによって、各接地端子部１１、１９、２７が金属筺体３１の背面パネル３１ｂに電気的に接続される。そして、第一の対向片部３５ｄが第一の接地端子部１１等の各接地端子部に半田４２によって接続される。
【００３８】
なお、映像信号が入力される同軸コネクタ５は、背面パネル３１ｂに取り付けられる。また、映像信号を変調器１に入力する同軸コネクタ４２がプリント基板３２上に取り付けられ、同軸コネクタ５、４２同士が同軸ケーブル４３で接続されて映像信号が変調器１に入力される。
【００３９】
【発明の効果】
以上のように、本発明のテレビジョン信号送信器は、金属筺体の背面パネルに取り付けられた端子板と、金属筺体内に収納されたプリント基板とを備え、プリント基板上には少なくとも変調器を構成し、端子板には、外部からの音声信号が入力されると共に前記変調器の入力端にリード線によって接続された音声信号入力端子部と、音声信号入力端子部に隣接して対をなすと共に変調器の接地端にリード線によって接続された接地端子部とを設け、接地端子部と背面パネルとをによって相互接続し、音声信号入力端子部と接地端子部とを端子板上でコンデンサによって接続したので、音声信号入力端子部と接地端子部とに現れる不要信号のレベルは極めて低く減衰し、輻射されることはない。従って、外部機器に妨害を与えない。
【００４０】
また、本発明のテレビジョン信号送信器は、音声信号入力端子部は第一の音声信号入力端子部と第二の音声信号入力端子部とを有し、変調器の入力端は第一の入力端と第二の入力端を有し、各音声信号入力端子部と各入力端とをそれぞれリード線によって接続し、第一の音声信号入力端子部と第二の音声入力端子部とを接地端子部の両側に設けたので、２つの音声信号入力端子部に音声信号を平衡入力できる。
【００４３】
また、本発明のテレビジョン信号送信機は、金属片を弾性部材で形成し、金属片に把持部と把持部から延在して形成された接触片部とを設け、把持部で端子板を把持するとともに、接触片部を金属筺体に弾接したので、金属片を取り付けた端子部を金属筺体のパネル等に取り付けるだけで金属片を金属筺体に電気的に接続でき、各接地端子部と金属筺体とを電気的に接続できる。
【図面の簡単な説明】
【図１】本発明のテレビジョン信号送信機のブロック構成図である。
【図２】本発明のテレビジョン信号送信機の内部の斜視図である。
【図３】本発明のテレビジョン信号に使用する端子板の詳細図である。
【図４】図３の要部断面図である。
【図５】本発明のテレビジョン信号送信機に使用する金属片の斜視図である。
【図６】従来のテレビジョン信号送信機のブロック構成図である。
【図７】従来のテレビジョン信号送信機の内部の斜視図である。
【符号の説明】
１  変調器
１ａ  第一の入力端
１ｂ  第二の入力端
１ｃ  第一の接地端
２  周波数変換器
３  制御回路
３ａ  第一の制御信号入力端
３ｂ  第二の制御信号入力端
３ｃ  第二の接地端
４  音声信号処理回路
４ａ  第一の音声信号出力端
４ｂ  第二の音声信号出力端
５  同軸コネクタ
６  同軸ケーブル
７  第一の音声信号入力端子部
８  第二の音声信号入力端子部
９  第一の音声信号入力用リード線
１０  第一の音声信号入力用リード線
１１  第一の接地端子部
１２  第一の接地用リード線
１３  第一のコンデンサ
１４  第二のコンデンサ
１５  第一の音声信号出力端子部
１６  第二の音声信号出力端子部
１７  第一の音声信号出力用リード線
１８  第二の音声信号出力用リード線
１９  第二の接地端子部
２０  接続導体
２１  第三のコンデンサ
２２  第四のコンデンサ
２３  第一の制御信号入力端子部
２４  第二の制御信号入力端子部
２５  第一の制御信号入力用リード線
２６  第二一の制御信号入力用リード線
２７  第三の接地端子部
２８  第二の接地用リード線
２９  第五のコンデンサ
３０  第六のコンデンサ
３１  金属筺体
３１ａ  底板
３１ｂ  背面パネル
３２  プリント基板
３３  端子板
３４  取付手段
３５  金属片
３５ａ  第一の折り返し部
３５ｂ  第二の折り返し部
３５ｃ  中央片部
３５ｄ  第一の対向片部
３５ｅ  第二の対向片部（接触片部）
３５ｆ  把持部
３６  第一のコネクタ
３７、３８  導体パターン
３９  第二のコネクタ
４０  フラットケーブル
４１  端子ブロック
４１ａ  端子台
４１ｂ  金属端子
４１ｃ  金属ネジ
【図１】
0003602967.tif 000002
【図２】
0003602967.tif 000003
【図３】
0003602967.tif 000004
【図４】
0003602967.tif 000005
【図５】
0003602967.tif 000006
【図６】
0003602967.tif 000007
【図７】
0003602967.tif 000008